(57)【要約】【課題】予備金の在高が所定の額を下回ったときに現金取扱業者に対して自動的に予備金の補充要請が行えるような売上金入金処理装置を提供すること。【解決手段】処理すべき紙幣を受け入れて、金種別に識別計数し、使途別に仕分けて収納する売上金入金処理装置において、該装置内又は装置外に保管される予備金の金額の初期値及び使用金額を入力する予備金額入力手段と、前記予備金額の初期値から前記使用金額の合計を減じて予備金在高を算出し、該予備金在高が所定の金額を下回ったときに、ネットワークを介して外部の現金取扱業者に予備金補充要請信号を自動的に送信するように制御する制御部を備える。【選択図】図３
2006099161.tif 000002
【特許請求の範囲】
【請求項１】
処理すべき紙幣を受け入れて、金種別に識別計数し、使途別に仕分けて収納する売上金入金処理装置において、該売上金入金処理装置は、
前記売上金入金処理装置内又は装置外に保管される予備金の金額の初期値及び使用金額を入力する予備金額入力手段と、
前記予備金額の初期値から前記使用金額の合計を減じて予備金在高を算出し、該予備金在高が所定の金額を下回ったときに、ネットワークを介して外部の現金取扱業者に予備金補充要請信号を自動的に送信するように制御する制御部を備えたことを特徴とする売上金入金処理装置。
【請求項２】
前記補充要請信号の送信履歴を管理する補充要請履歴管理手段が設けられている請求項１に記載の売上金入金処理装置。
【発明の詳細な説明】
【技術分野】
【０００１】
本発明は遊技店の店舗内に設置される売上金入金処理装置に関するもので、該装置内又は装置外に保管される予備金が所定額を下回ったときに、現金取扱業者に予備金の補充要請を自動的に行えるようにした売上金入金処理装置に関する。
【背景技術】
【０００２】
遊技店の店舗内に設置され店舗の売上金を入金処理すると共に、翌日の営業に備えて使途別に仕分けるようにしたものとして、本出願人による特開2004−54456号公報に示されるものがある。
上記公報で示される売上金入金処理装置では、遊技店の営業が終了した時点で、店舗内のカード販売機等から現金を集めてきて、売上金入金処理装置で翌日の営業に備えるために、これら現金を使途別に仕分け処理するようにしている。
【０００３】
ところで、売上げが順調であって金種の構成が適切となっていれば問題無いが、往々にして千円札が減少する傾向がある。これは、顧客が両替機を利用して万円札や五千円札を千円札に両替することにより、万円札等が増加することの反面、千円札が減少することに起因している。
これは、顧客が両替した千円札をカード販売機で全て使用するならば総合的には千円札が不足はしないが、全てを使用せずに残りを持ち帰る場合があるからである。
又、翌日に出血大サービス等が予定されている場合には、特殊景品交換代金を予め多めに見込んで用意するが、見込みが外れて多く出た場合は、千円札のみならず五千円札及び万円札も不足する虞がある。
このような事情から、遊技店では、売上金入金処理装置で管理するものとは別に、金庫等に予備金として、千円札、五千円札及び万円札にて所定額を用意しておくことが不可欠となっている。
【特許文献１】特開2004−54456号公報
【発明の開示】
【発明が解決しようとする課題】
【０００４】
しかしながら、上記の予備金を使用した場合は、減少した分の補充をしておく必要があり、このため、予備金の在高をチェックし、補充額を現金取扱業者に電話やＦＡＸで連絡するという作業が発生していた。また、この連絡を誰がいつ行ったのかの管理を行う必要もあるため、店舗側の作業負担は過大なものとなっていた。
本発明は、かかる予備金管理における店舗側の作業負担を軽減するために為されたものであり、本発明の目的は、予備金の在高が所定の額を下回ったときに現金取扱業者に対して自動的に予備金の補充要請が行えるような売上金入金処理装置を提供することにある。
【課題を解決するための手段】
【０００５】
本発明は遊技店の店舗内に設置される売上金入金処理装置に関し、本発明の上記目的は、処理すべき紙幣を受け入れて、金種別に識別計数し、使途別に仕分けて収納する売上金入金処理装置において、該売上金入金処理装置は、前記売上金入金処理装置内又は装置外に保管される予備金の金額の初期値及び使用金額を入力する予備金額入力手段と、前記予備金額の初期値から前記使用金額の合計を減じて予備金在高を算出し、該予備金在高が所定の金額を下回ったときに、ネットワークを介して外部の現金取扱業者に予備金補充要請信号を自動的に送信するように制御する制御部を備えたことを特徴とする売上金入金処理装置によって達成される。
また、本発明の上記目的は、前記補充要請信号の送信履歴を管理する補充要請履歴管理手段を設けることによってより効果的に達成される。
【発明の効果】
【０００６】
本発明に係る売上金入金処理装置と現金取扱業者のサーバとをネットワークを介して接続することにより、予備金の補充要請が自動的に行えるので、補充担当者の作業負担が軽減されるとともに、補充要請の履歴が残るため、管理者の管理負担も軽減されるという効果がある。
【発明を実施するための最良の形態】
【０００７】
本発明に係る売上金入金処理装置について、図面を参照しつつ説明する。
図１は、本発明の売上金入金処理装置の外観を示すものであり、同図中、１は紙幣受入部、２は予備金の金種毎の枚数の初期値や、使った予備金の額（金種毎）等の金額情報等を入力するための入力部である。
【０００８】
図２は、上記売上金入金処理装置の内部を示す断面である。同図中、１は紙幣受入部、２は入力部、３は繰出搬送部、４は金種識別部、５は仕分部、６は結束部、７は運用金収納部としての両替機／遊技カード販売機用釣り銭用紙幣の束収納部、８は運用金収納部としての特殊景品交換代金用紙幣のバラ収納部、９は粗利益収納部としての紙幣カセット、１０は予備金を収納しておく予備金収納部である。なお、予備金収納部１０は売上金入金処理装置の外に、例えば金庫という形で存在していてもよい。いずれにしても、売上金入金処理装置で入金処理された紙幣とは別に管理されるものである。
【０００９】
図３は、前記売上金入金処理装置の制御系を示すブロック図である。制御部１１は、入力部２、金種識別部４、仕分部５、結束部６及び通信接続部１３を所定の制御プログラムに従って制御するものである。また、制御部１１は、演算制御を行うＣＰＵ１１１と、前記制御プログラムが格納されているＲＯＭ１１２と作業メモリであるＲＡＭ１１３を含むものである。さらに、制御部１１には記憶部１２が接続されており、取り込んだ紙幣の金種、枚数、格納場所等のデータや、予備金の在高等を記憶しておくためのものである。ここで、同図中の通信接続部１３は、遊技店に設置されるホールコンピュータや現金取扱業者のサーバとネットワークを介して相互に通信可能に接続するためのものである。
以上のような構成において、本発明に係る売上金入金処理装置と現金取扱業者のサーバとをネットワークを介して接続することにより、予備金の補充要請を自動的に行う場合の動作について説明する。
【００１０】
遊技店における営業中において、例えば、両替機において両替用の千円札が底をついた場合は、束収納部７から束紙幣を取り出して両替機に補充するのが普通であるが、新装開店出血サービスようなイベントがあった場合は、束収納部からの補充でも間に合わない場合がある。そのような場合は、予備金収納部１０（予備金収納部１０が売上金入金処理装置の内部にあるか外部にあるかを問わない。）から必要な千円札を取り出し、取り出した分の金額を入力部２に入力するとともに、両替機への補充を行う。なお、予備金収納部１０にある予備金の額（初期値）は金種ごとに予め入力部２から入力され、記憶部１２に記憶されており、予備金収納部１０から不足分の補充のために取り出されるたびに、使われた分の金額が入力され、前記の初期値から自動的に差し引かれて、現在の在高が管理記憶される。このようにして、予備金収納部１０から補充のための紙幣が取り出されるたびに予備金の在高は減っていくことになるが、この予備金の補充は外部の現金取扱業者に依頼して持参してもらい、補充を行うという運用になっている。しかしながら、予備金が完全に底をついてから補充を依頼したのでは間に合わない場合があるので、通常は、ある限界の値（しきい値）を設定して、在高がそのしきい値を下回ったときに補充の要請を行うようにしている。
そこで、本発明に係る売上金入金処理装置では、そのしきい値を予め入力部２から入力して記憶部１２に記憶させておき、予備金の在高が前記しきい値を下回ったときに通信接続部１３を介して、予備金補充の要請信号を現金取扱業者のサーバに自動的に送信するように、制御部１１が所定のプログラムに従って制御を行うようになっている。また、補充要請信号の送信履歴は記憶部１２に記憶され、いつ、いくらの金額の補充が要請されたかを管理するようになっている。
【００１１】
例えば予備金の初期在高が500万円（千円札、五千円札及び万円札で構成される）である場合、このデータを売上金入金処理装置に入力しておき、100万円分を使用したならば入力部でこの金額分を手入力する。売上金入金処理装置は（500万−100万）を演算し400万円の計算結果を得、これを記憶部１２に記憶する。
補充しきい値が在高100万円と設定されていれば、この金額を割り込んだとき（上記の例では計400万円以上を使用した場合）に、予備金補充要請信号を発信する。このようにすることにより、人手によることなく予備金補充の自動発注が行えることになる。
上記の例では、補充の要請を現金取扱業者に対して行っているが、遊技店の本部に対して行うようにしてもよいことは言うまでもない。
【図面の簡単な説明】
【００１２】
【図１】本発明に係る売上金入金処理装置の外観を示す図である。
【図２】本発明に係る売上金入金処理装置の内部を示す断面である。
【図３】本発明に係る売上金入金処理装置の制御系を示すブロック図である。
【符号の説明】
【００１３】
１  紙幣受入部
２  入力部
３  繰出搬送部
４  金種識別部
５  仕分部
６  結束部
７  束収納部
８  バラ収納部
９  紙幣カセット
１０  予備金収納部
１１  制御部
１２  記憶部
１３  通信接続部
【図１】
2006099161.tif 000003
【図２】
2006099161.tif 000004
【図３】
2006099161.tif 000005